(57)【要約】      （修正有）【課題】鉄道の軌道回路の短絡感度を測定できると共に、レール間の電圧も測定できる電圧計付軌道短絡抵抗装置を提供する。【解決手段】電圧計付軌道短絡抵抗装置は、１つの筐体１に設けられた、軌道回路を構成する一方及び他方のレール７ａ、７ｂにそれぞれ、その先端部が接続される一方及び他方の測定端子部６ａ、６ｂと、筐体１内に設けられた、一方及び他方の測定端子部６ａ、６ｂの基部９ａ、９ｂ間に接続された可変抵抗部２と、筐体１内に設けられた、一方及び他方の測定端子部６ａ、６ｂの基部９ａ、９ｂ間に接続された電圧測定部３とによりなり、可変抵抗部２は、可変抵抗素子１６と、可変抵抗素子１６の抵抗値を所望の抵抗値に設定する抵抗値設定部１７よりなること、及び電圧測定部３は、レール７ａ、７ｂ間の電圧を測定するときの周波数を選定できる周波数設定部２０を有することを特徴とする。【選択図】図１
0003201749.tif 000002
【実用新案登録請求の範囲】
【請求項１】
１つの筐体に設けられた、軌道回路を構成する一方及び他方のレールにそれぞれ、その先端部が接続される一方及び他方の測定端子部と、
上記筐体内に設けられた、上記一方及び他方の測定端子部の基部間に接続された可変抵抗部と、
上記筐体内に設けられた、上記一方及び他方の測定端子部の基部間に接続された電圧測定部とによりなり、
上記可変抵抗部は、可変抵抗素子と、該可変抵抗素子の抵抗値を所望の抵抗値に設定する抵抗値設定部とによりなることを特徴とする電圧計付軌道短絡抵抗装置。
【請求項２】
上記電圧測定部には、所望の周波数において電圧を測定するための、該周波数設定部が設けられていることを特徴とする請求項１記載の電圧計付軌道短絡抵抗装置。
【考案の詳細な説明】
【技術分野】
【０００１】
本考案は、鉄道の軌道回路の短絡感度を測定できると共に、レール間の電圧も測定できる電圧計付軌道短絡抵抗装置に関するものである。
【背景技術】
【０００２】
鉄道の線路（レール）には、鉄道車両の有無を検知するための軌道回路が形成されている。この軌道回路は、例えば、図２に示すように、絶縁手段ａで区切られた所望の区間の一方のレールｂ１及び他方のレールｂ２と、該両レールｂ１、ｂ２の一端間に接続し電流を供給する電源装置部ｃと、該両レールｂ１、ｂ２の他端間に接続した軌道リレー部ｄとからなり、かかる一方及び他方のレールｂ１、ｂ２と、電源装置部ｃと、軌道リレー部ｄとにより電気回路が構成されている。
【０００３】
この軌道回路の短絡感度の定期的な検査は重要であり、かかる検査においては、異なる抵抗を有する複数の短絡電線を、それぞれ順次、両側のレールに接触させて、短絡した時の最大短絡抵抗値を測定し、かかる最大短絡抵抗値が短絡感度となり、これに基づき、軌道回路の安全性を判断するようにしている。
【０００４】
また、上記短絡感度の測定検査とは別に、軌道回路における保守点検において、一方及び他方のレール間の電圧を測定する場合があり、かかるレール間の電圧は、別途電圧計を用いて測定していた。
【考案の概要】
【考案が解決しようとする課題】
【０００５】
しかしながら、従来、短絡感度の検査と、レール間の電圧測定を行う場合には、軌道回路の短絡感度を測定するための装置と、レール間の電圧を測定するための装置の２つを用いる必要があり、手間がかかるという欠点があった。
【０００６】
本考案は、上記の欠点をなくすようにしたものである。
【課題を解決するための手段】
【０００７】
本考案の電圧計付軌道短絡抵抗装置は、１つの筐体に設けられた、軌道回路を構成する一方及び他方のレールにそれぞれ、その先端部が接続される一方及び他方の測定端子部と、上記筐体内に設けられた、上記一方及び他方の測定端子部の基部間に接続された可変抵抗部と、上記筐体内に設けられた、上記一方及び他方の測定端子部の基部間に接続された電圧測定部とによりなり、上記可変抵抗部は、可変抵抗素子と、該可変抵抗素子の抵抗値を所望の抵抗値に設定する抵抗値設定部とによりなることを特徴とする。
【０００８】
また、上記電圧測定部には、所望の周波数において電圧を測定するための、該周波数設定部が設けられていることを特徴とする。
【考案の効果】
【０００９】
本考案によれば、１つの筐体内に、可変抵抗部と電圧測定部とを有しているので、コンパクトで、しかも、容易に、短絡感度の測定検査と、レール間の電圧測定を行うことができる利点がある。
【図面の簡単な説明】
【００１０】
【図１】本考案の電圧計付軌道短絡抵抗装置の概略図である。
【図２】軌道回路の一例の概略図である。
【考案を実施するための形態】
【００１１】
以下図面によって本考案の実施例を説明する。
【実施例１】
【００１２】
本考案の電圧計付軌道短絡抵抗装置は、中空箱状の筐体１と、該筺体１内にそれぞれ設けた可変抵抗部２と、電圧計として機能する電圧測定部３と、電源部４と、上記筐体１の外表面に設けた表示部５と、上記筐体１内から外に延びる、電線よりなる一方及び他方の測定端子部６ａ、６ｂとによりなる。
【００１３】
また、上記一方及び他方の測定端子部６ａ、６ｂの先端部８ａ、８ｂは、それぞれ、軌道回路を構成する一方及び他方のレール７ａ、７ｂにそれぞれ接続自在又は接触自在に設けられる。
【００１４】
また、該一方及び他方の測定端子部６ａ、６ｂの基部９ａ、９ｂ間に、電線１０ａ、１０ｂを介して、上記可変抵抗部２が接続され、また、上記一方及び他方の測定端子部６ａ、６ｂの基部９ａ、９ｂ間に、電線１１ａ、１１ｂを介して、上記電圧測定部３が接続される。
【００１５】
また、上記電源部４から電源線１２が延び、該電源線１２から電源線１２ａ、１２ｂ、１２ｃが分岐し、それぞれ上記可変抵抗器２、上記電圧測定部３、上記表示部５に接続され、上記可変抵抗器２、上記電圧測定部３、上記表示部５にそれぞれ電源が供給されるように構成されている。
【００１６】
また、上記可変抵抗部２と上記表示部５とが入出力線１３により接続され、上記可変抵抗部２の状態を、上記表示部５に表示できるようにすると共に、必要により、該表示部５の操作により、上記可変抵抗部２を操作できるように構成されている。
【００１７】
また、上記電圧測定部３と上記表示部５とが入出力線１４により接続され、上記電圧測定部３の状態を、上記表示部５に表示できるようにすると共に、必要により、該表示部５の操作により、上記電圧測定部３を操作できるように構成されている。
【００１８】
なお、１５は、上記電源部４の電源のＯＮ／ＯＦＦスイッチ部である。
【００１９】
また、上記可変抵抗部２は、抵抗値を、例えば、０．０２Ωから５Ωまで変化可能な可変抵抗素子１６と、該可変抵抗素子１６の抵抗値を所望の抵抗値に設定する抵抗値設定部１７と、ＯＮ／ＯＦＦスイッチ部１８とよりなり、上記可変抵抗素子１６は、上記電線１０ａ、１０ｂを介して、上記測定端子部６ａ、６ｂの基部９ａ、９ｂ間に接続され、また、上記ＯＮ／ＯＦＦスイッチ部１８は、例えば、上記可変抵抗素子１６と上記電線１０ａとの間に介在され、該ＯＮ／ＯＦＦスイッチ部１８が、ＯＮの場合には、上記可変抵抗素子１６と上記測定端子部６aの基部９aとの接続を継続し、ＯＦＦの場合には、上記可変抵抗素子１６と上記測定端子部６aの基部９aとの接続を断とするように構成されている。
【００２０】
なお、上記可変抵抗素子１６は、例えば、０．０２〜１Ω間で抵抗を変化させる場合には、０．０２Ω刻みで抵抗を変化するように設定され、１〜５Ω間で抵抗を変化させる場合には、０．１Ω刻みで抵抗を変化できるように設定されている。
【００２１】
また、上記電圧測定部３は、例えば、０．１Ｖ〜２０Ｖまで測定可能な、電圧を測定する電圧測定部１９と、該電圧測定部１９により電圧を測定する時の周波数を設定（選定）するための周波数設定部２０とよりなる。
【００２２】
上記周波数としては、例えば、２５Ｈｚ、３０Ｈｚ、５０Ｈｚ、６０Ｈｚ、８３Ｈｚ、１００Ｈｚ、１２０Ｈｚ、１４４Ｈｚ、５２５Ｈｚ、５７５Ｈｚ、６２５Ｈｚ、６７５Ｈｚにそれぞれ設定できるように構成されている。
【００２３】
また、上記表示部５は、モニタ２１と、設定部２２とよりなり、該モニタ２１には、上記可変抵抗部２のＯＮ／ＯＦＦスイッチ部１８の状態や、上記抵抗値設定部１７で設定された抵抗値などが表示され、また、上記電圧測定部３で測定された電圧や、上記周波数設定部２０で設定された周波数などが表示され、各種の情報が上記モニタ２１に表示される。
【００２４】
また、上記設定部２２により、短絡感度の測定時における各種情報を表示させる短絡抵抗設定モードや、レール間の電圧測定時における各種情報を表示させる周波数設定モードなどの各種モードに変更ができるように構成されている。
【００２５】
なお、上記設定部２２から、上記可変抵抗部２の抵抗値や、上記電圧測定部３の周波数などを設定できるようにしてもよい。
【００２６】
本考案の電圧計付軌道短絡抵抗装置は上記のような構成であるから、短絡感度の測定を行う場合には、上記電源部４のスイッチ部１５をＯＮとし、上記一対の一方及び他方の測定端子部６ａ、６ｂの先端部８ａ、８ｂを、それぞれ上記一対の一方及び他方のレール７ａ、７ｂに接続又は接触させる。
【００２７】
そして、上記可変抵抗部２のＯＮ／ＯＦＦスイッチ部１８をＯＮとして、短絡感度の測定ができるようにすると共に、上記可変抵抗部２の抵抗値設定部１７を、例えば、３Ωに設定し、この抵抗値において、軌道回路が短絡しているかどうかを検査する。
【００２８】
なお、上記表示部５は、短絡抵抗設定モードに設定する。
【００２９】
上記３Ωで短絡していない場合には、上記抵抗値設定部１７を操作して、該３Ωよりも若干低い抵抗値に設定し、例えば、０．１Ωごとに抵抗値を変化させることができる場合には、２．９Ωで、軌道回路が短絡しているかどうかを検査し、短絡していない場合には、順次、上記抵抗値設置部１７を操作して、例えば、０．１Ωづつ低い抵抗値で検査していき、短絡するまで、これを繰り返す。
【００３０】
なお、１Ωより低い抵抗値で検査する場合には、例えば、０．０２Ω刻みで、検査するようにしてもよい。
【００３１】
そして、短絡した最大短絡抵抗値を、短絡感度とし、軌道回路の安全性の判断を行うようにする。
【００３２】
なお、上記３Ωで短絡した場合には、５Ωから検査を始めるようにしてもよい。
【００３３】
なお、最初に測定する抵抗値は、軌道回路によって、異なるようにしてよいのはもちろんである。
【００３４】
また、上記抵抗値設定部１７は、手動により、各所望の抵抗値になるようにそれぞれ操作できる。
【００３５】
なお、軌道回路が短絡したか否かは、軌道リレー部のリレーが落ちたかどうかで判断する。
【００３６】
そして、短絡した抵抗値を、上記表示部５のモニタ２１に表示させるようにする。
【００３７】
また、各所望の抵抗値において、短絡感度の測定を行うと同時に、上記電圧測定部３により、両レール間の電圧を測るようにしてもよい。
【００３８】
そして、かかる電圧値を、上記表示部５のモニタ２１に表示させるようにする。
【００３９】
また、上記電圧測定部３において、必要に応じて、各所望の抵抗値時における電圧を測定する際、周波数設定部２０を操作し、周波数を、例えば、２５Ｈｚ、３０Ｈｚ、５０Ｈｚ、６０Ｈｚ、８３Ｈｚ、１００Ｈｚ、１２０Ｈｚ、１４４Ｈｚ、５２５Ｈｚ、５７５Ｈｚ、６２５Ｈｚ、６７５Ｈｚのいずれかの周波数として、かかる周波数における電圧を測定するようにしてもよい。
【００４０】
なお、上記可変抵抗部２のＯＮ／ＯＦＦスイッチ部１８をＯＦＦとし、上記両レール間に短絡抵抗素子１６を介在させないようにして、上記電圧測定部３において、レール間の電圧を測定するようにしてもよい。
【００４１】
次に、短絡感度の測定をせず、レール間の電圧のみを測定する場合には、まず、電源部４のスイッチ部１５をＯＮとすると共に、上記可変抵抗部２のＯＮ／ＯＦＦスイッチ部１８をＯＦＦとして、上記一対の一方及び他方の測定端子部６ａ、６ｂの先端部８ａ、８ｂを、それぞれ上記一対の一方及び他方のレール７ａ、７ｂに、接続又は接触させ、電圧測定部３により電圧を測定する。
【００４２】
なお、この際、上記表示部５は、周波数設定モードに設定し、モニタ２１に電圧が表示されるようにする。
【００４３】
また、必要に応じて、周波数設定部２０を操作し、周波数を、例えば、２５Ｈｚ、３０Ｈｚ、５０Ｈｚ、６０Ｈｚ、８３Ｈｚ、１００Ｈｚ、１２０Ｈｚ、１４４Ｈｚ、５２５Ｈｚ、５７５Ｈｚ、６２５Ｈｚ、６７５Ｈｚのいずれかの周波数として、かかる周波数における電圧を測定するようにしてもよい。
【００４４】
以上の通り、本考案の電圧計付軌道短絡抵抗装置によれば、一つの装置で、短絡感度とレール間の電圧を測定することができるようになる。
【符号の説明】
【００４５】
１      筐体
２      可変抵抗部
３      電圧測定部
４      電源部
５      表示部
６ａ    測定端子部
６ｂ    測定端子部
７ａ    レール
７ｂ    レール
８ａ    先端部
８ｂ    先端部
９ａ    基部
９ｂ    基部
１０ａ  電線
１０ｂ  電線
１１ａ  電線
１１ｂ  電線
１２    電源線
１２ａ  電源線
１２ｂ  電源線
１２ｃ  電源線
１３    入出力線
１４    入出力線
１５    スイッチ部
１６    可変抵抗素子
１７    抵抗値設定部
１８    スイッチ部
１９    電圧測定部
２０    周波数設定部
２１    モニタ
２２    設定部
【図１】
0003201749.tif 000003
【図２】
0003201749.tif 000004